(57)【要約】【課題】タクシーの乗客に広告することができ、再生装置を再生したり停止したりする操作の手間を省くことができ、この結果、乗客中には広告情報を確実に再生でき、再生装置を節電することができるタクシー用の広告装置を提供する。【解決手段】タクシーメータ２を備えたタクシー４の車内で乗客に広告するための広告装置１であって、広告装置１が、記録媒体Ｍに記録された広告情報を再生する再生装置１０と、再生装置１０で再生された広告情報の映像を表示する表示部５０と、再生装置１０で再生された広告情報の音声を発生するスピーカ６０と、再生装置１０で再生された広告情報を、表示部５０およびスピーカ６０に送信するための接続用ケーブル４０とから構成されており、タクシーメータ２を課金状態にしたときには、再生装置１０を再生動作させ、タクシーメータ２を非課金状態にしたときには、再生装置１０を停止動作させる連動部８０が設けられた。【選択図】　　　　図１
0003098636.tif 000002
【実用新案登録請求の範囲】
【請求項１】
タクシーメータを備えたタクシーの車内で乗客に広告するための広告装置であって、
該広告装置が、
記録媒体に記録された広告情報を再生する再生装置と、
該再生装置で再生された広告情報の映像を表示する表示部と、
前記再生装置で再生された広告情報の音声を発生するスピーカと、
前記再生装置で再生された広告情報を、前記表示部およびスピーカに送信するための送信手段とからなり、
前記タクシーメータを課金状態にしたときには、前記再生装置を再生動作させ、前記タクシーメータを非課金状態にしたときには、前記再生装置を停止動作させる連動部が設けられた
ことを特徴とするタクシー用の広告装置。
【請求項２】
タクシーメータを備えたタクシーの車内で乗客に広告するための広告装置であって、
該広告装置が、
記録媒体に記録された広告情報を再生する再生装置と、
該再生装置で再生された広告情報の映像を表示する表示部と、
前記再生装置で再生された広告情報の音声を発生するスピーカと、
前記再生装置で再生された広告情報を、前記表示部およびスピーカに送信するための送信手段とからなり、
前記再生装置が、
前記記録媒体に記録された複数の広告情報を、その広告序数順に再生する再生回数均等処理部を備えた
ことを特徴とするタクシー用の広告装置。
【請求項３】
前記再生回数均等処理部が、
広告情報の広告序数が記録される広告序数メモリと、
前記記録媒体に記録された複数の広告情報を循環して再生するリピート再生手段と、
前記再生装置が停止するときに、停止時に再生されていた広告情報の広告序数を前記広告序数メモリに記録する停止時広告序数記録手段と、
前記再生装置が再生するときに、前記広告序数メモリから広告序数を読み出して、再生すべき広告情報を決定する再生広告序数決定手段とを備えた
ことを特徴とする請求項２記載のタクシー用の広告装置。
【請求項４】
前記広告装置が、
タクシーのフロントガラスの上部手前に取り付けられるサンバイザを備え、
該サンバイザに、前記表示部およびスピーカが取り付けられた
ことを特徴とする請求項１または２記載のタクシー用の広告装置。
【請求項５】
前記サンバイザに、テレビ電波をチューニングするテレビチューナが取り付けられ、
前記送信手段が、テレビチューナと表示部およびスピーカとの間を連結するテレビ電波用ケーブルを備え、
前記サンバイザに、前記表示部およびスピーカの入力先を、前記再生装置とテレビチューナのいずれかに切り替え自在な切替器が設けられた
ことを特徴とする請求項４記載のタクシー用の広告装置。
【請求項６】
前記送信手段が、接続ケーブルであり、
該接続ケーブルが、
前記表示部およびスピーカに電流を供給する電源用ケーブルと、
前記再生装置と表示部との間を連結する再生映像用ケーブルと、
前記再生装置とスピーカとの間を連結する再生音声用ケーブルと、
前記テレビチューナと表示部およびスピーカとの間を連結するテレビ電波用ケーブルとからなり、
前記電源ケーブル、再生音声用ケーブル、再生映像用ケーブルおよびテレビ電波用ケーブルが１本に束ねられたものである
ことを特徴とする請求項１または２記載のタクシー用の広告装置。
【請求項７】
前記表示部が、液晶モニタである
ことを特徴とする請求項１、２、４、５または６記載のタクシー用の広告装置。
【考案の詳細な説明】
【０００１】
【考案の属する技術分野】
本考案は、タクシー用の広告装置に関する。
【０００２】
【従来の技術】
従来より、自動車のフロントガラスの上部手前に取り付けられるサンバイザに、ディスプレイ等が取り付けられたものがある。このため、ディスプレイ等に映像を映すことができるので、乗客に映像を見せることができる（例えば、特許文献２、３、５、６参照）。
また、サンバイザにテレビ液晶モニタが取り付けられたものがある。このため、テレビ液晶モニタでテレビ放送を映すことができるので、車内にテレビ放送を流すことができる（例えば、特許文献１参照）。
また、サンバイザにディスプレイが取り付けられ、ＣＤ−ＲＯＭ等の記録媒体に記録された映像や音声を再生装置で再生して、再生された映像等をディスプレイに表示させるものはある（例えば、特許文献４参照）。このため、再生装置によって、記録媒体に格納された映像等を再生して、ディスプレイおよびスピーカによって、乗客に映像や音声を表示させることができる。
【０００３】
このため、ディスプレイ付きのサンバイザをタクシーに取り付け、記録媒体に広告情報を格納し、この広告情報を再生装置で再生して、広告情報の映像をディスプレイに映すことにより、乗客に広告することができる。
【０００４】
【特許文献１】
特開平１０−３１５７６６号
【特許文献２】
実開昭６３−６９２４号
【特許文献３】
実開昭６３−４４８１９号
【特許文献４】
実開平０１−２３０７９号
【特許文献５】
実開平０１−１１７４９６号
【特許文献６】
実開平０１−１４５５３２号
【０００５】
【考案が解決しようとする課題】
しかるに、従来のタクシー用の広告装置には、以下の（ｉ）〜（ｉｉｉ）に示す問題がある。
（ｉ）タクシーの運転手は、タクシーに乗客が乗ったときタクシーメータを課金状態にする。しかし、再生装置の電源を入れて記録媒体を再生させなければ、乗客に広告することができない。また、タクシーから乗客が降りると、タクシーメータを課金状態にするが、再生装置を停止させなければ、広告を中止することができない。乗客が乗り降りする度に、タクシーメータのほかに、再生装置を操作するのは手間がかかり面倒である。
（ｉｉ）タクシーに乗客が乗ったときに、再生装置を再生するのを忘れると、乗客に広告することができない。
（ｉｉｉ）逆に、タクシーから乗客が降りたときに、再生装置の消し忘れがあると、再生装置がつけっぱなしとなり、余分な電力消費が発生しコストが高くなる。
【０００６】
本考案はかかる事情に鑑み、タクシーの乗客に広告することができ、再生装置を再生したり停止したりする操作の手間を省くことができ、この結果、乗客中には広告情報を確実に再生でき、再生装置を節電することができるタクシー用の広告装置を提供することを目的とする。
【０００７】
【課題を解決するための手段】
請求項１のタクシー用の広告装置は、タクシーメータを備えたタクシーの車内で乗客に広告するための広告装置であって、該広告装置が、記録媒体に記録された広告情報を再生する再生装置と、該再生装置で再生された広告情報の映像を表示する表示部と、前記再生装置で再生された広告情報の音声を発生するスピーカと、前記再生装置で再生された広告情報を、前記表示部およびスピーカに送信するための送信手段とからなり、前記タクシーメータを課金状態にしたときには、前記再生装置を再生動作させ、前記タクシーメータを非課金状態にしたときには、前記再生装置を停止動作させる連動部が設けられたことを特徴とする。
請求項２のタクシー用の広告装置は、タクシーメータを備えたタクシーの車内で乗客に広告するための広告装置であって、該広告装置が、記録媒体に記録された広告情報を再生する再生装置と、該再生装置で再生された広告情報の映像を表示する表示部と、前記再生装置で再生された広告情報の音声を発生するスピーカと、前記再生装置で再生された広告情報を、前記表示部およびスピーカに送信するための送信手段とからなり、前記再生装置が、前記記録媒体に記録された複数の広告情報を、その広告序数順に再生する再生回数均等処理部を備えたことを特徴とする。
請求項３のタクシー用の広告装置は、請求項２記載の考案において、前記再生回数均等処理部が、広告情報の広告序数が記録される広告序数メモリと、前記記録媒体に記録された複数の広告情報を循環して再生するリピート再生手段と、前記再生装置が停止するときに、停止時に再生されていた広告情報の広告序数を前記広告序数メモリに記録する停止時広告序数記録手段と、前記再生装置が再生するときに、前記広告序数メモリから広告序数を読み出して、再生すべき広告情報を決定する再生広告序数決定手段とを備えたことを特徴とする。
請求項４のタクシー用の広告装置は、請求項１または２記載の考案において、前記広告装置が、タクシーのフロントガラスの上部手前に取り付けられるサンバイザを備え、該サンバイザに、前記表示部およびスピーカが取り付けられたことを特徴とする。
請求項５のタクシー用の広告装置は、請求項４記載の考案において、前記サンバイザに、テレビ電波をチューニングするテレビチューナが取り付けられ、前記送信手段が、テレビチューナと表示部およびスピーカとの間を連結するテレビ電波用ケーブルを備え、前記サンバイザに、前記表示部およびスピーカの入力先を、前記再生装置とテレビチューナとの間で切り替え自在な切替器が設けられたことを特徴とする。
請求項６のタクシー用の広告装置は、請求項１または２記載の考案において、前記送信手段が、接続ケーブルであり、該接続ケーブルが、前記表示部およびスピーカに電流を供給する電源用ケーブルと、前記再生装置と表示部との間を連結する再生映像用ケーブルと、前記再生装置とスピーカとの間を連結する再生音声用ケーブルと、前記テレビチューナと表示部およびスピーカとの間を連結するテレビ電波用ケーブルとからなり、前記電源ケーブル、再生音声用ケーブル、再生映像用ケーブルおよびテレビ電波用ケーブルが１本に束ねられたものであることを特徴とする。
請求項７のタクシー用の広告装置は、請求項項１、２、４、５または６記載の考案において、前記表示部が、液晶モニタであることを特徴とする。
【０００８】
【考案の実施の形態】
つぎに、本考案の実施形態を図面に基づき説明する。
図５は、本実施形態のタクシー用の広告装置１が取り付けられたタクシー４における、（Ａ）は背面断面図、（Ｂ）は側面断面図である。同図に示すように、タクシー４の社内には、本実施形態のタクシー用の広告装置１が取り付けられている。このタクシー用の広告装置１は、タクシー４のフロントガラスの上部手前にあるサンバイザ取付部３に、取り付けられている。
また、タクシー４のフロント座席５の前面には、タクシーメータ２が設けられている。運転手はタクシーメータ２によって、乗客中に料金を課金することができる。符号６は、後部座席である。
なお、本実施形態のタクシー用の広告装置１は、タクシーメータ２を備えたタクシーであれば、種々のタクシーに取り付けることができる。
さらになお、タクシーメータ２は、実車ボタンを押して課金状態にし、支払いボタンや空車ボタンを押して非課金状態にするボタン式のものでもよい。また、レバーを倒して課金状態にし、レバーを起こして非課金状態に戻すレバー式のものでもよく、種々のタイプのタクシーメータに使用することができる。
【０００９】
さて、本実施形態のタクシー用の広告装置１を詳細に説明する。
図１は本実施形態のタクシー用の広告装置１における全体構成図である。同図に示すように、本実施形態のタクシー用の広告装置１は、タクシーメータ２を備えたタクシー４の車内で乗客に広告するための装置であり、再生装置１０、サンバイザ部２０、接続用ケーブル４０および連動部８０から構成されたものである。
【００１０】
まず、再生装置１０を説明する。
再生装置１０は、記録媒体Ｍに記録された広告情報を再生するものである。
広告情報は、各種商品やサービスの宣伝、観光情報、求人情報、通信販売情報など、乗客に広告するためのものであればよい。また、広告情報は、音声と映像の両者が含まれるもの、音声のみ、映像のみのいずれでもよい。
記録媒体Ｍは、例えば、コンパクトフラッシュ（サンディスク　コーポレイションの登録商標）、スマートメディア、メモリースティックなどのフラッシュメモリカード、ＣＤ−ＲＯＭメディア、ＣＤ−Ｒメディア、ＤＶＤメディア、ハードディスク、ミニディスク、ビデオテープ、マイクロテープなど、前記広告情報を記録でき再生装置で再生することができるものであれば、種々のメディアを使用できる。
再生装置１０は、前記記録媒体Ｍを再生することができるものであればよく、前記フラッシュメモリカードを読み込み可能なメモリカードドライブ、ＣＤ−ＲＯＭドライブ、ＤＶＤドライブ、コンピュータ、ビデオデッキ、テープレコーダ、テープデッキ、ミニディスクレコーダなど、種々のドライブを使用できる。
【００１１】
図２は再生装置１０の概略斜視図である。図１および図２に示すように、この再生装置１０において、ケーシング１１には、記録媒体Ｍを挿入するための挿入口１２と、取出し用のイジェクトボタン１３とが取り付けられている。このため、記録媒体Ｍを挿入口１２から再生装置１０に挿入したり、イジェクトボタン１３により挿入口１２から記録媒体Ｍを取り出したりすることができる。
【００１２】
また、ケーシング１１には、電源用ポート１４、電源用ポート１５、映像出力用ポート１６、音声出力用ポート１７、およびアンテナ用ポート１８が設けられている。
電源用ポート１４は、再生装置１０に電力を供給するためのものである。
電源用ポート１５は、外部接続機器、例えばゲーム機、ＣＤレコーダ、ＭＤレコーダ、ビデオデッキ、ＤＶＤレコーダ、ナビゲーション等に電力を供給するためである。
映像出力用ポート１６は、記録媒体Ｍに記録された広告情報の映像を出力するためのものである。
音声出力用ポート１７は、記録媒体Ｍに記録された広告情報の音声を出力するためのものである。
アンテナ用ポート１８は、外部アンテナや内部アンテナを接続するためのものである。
【００１３】
図２（Ｂ）に示すように、ケーシング１１の背面には、電源用ポート１４Ｒ　、電源用ポート１５Ｒ　、映像入力用ポート１６Ｒ　、音声入力用ポート１７Ｒ　およびアンテナ用ポート１８Ｒ　が設けられている。
電源用ポート１４Ｒ　は、再生装置１０に電力を供給するためのものである。
電源用ポート１５Ｒ　は、外部接続機器、例えばゲーム機、ＣＤレコーダ、ＭＤレコーダ、ビデオデッキ、ＤＶＤレコーダ、ナビゲーション等に電力を供給するためである。
映像入力用ポート１６Ｒ　は、外部接続機器の映像を入力するためのものである。音声入力用ポート１７Ｒ　は、外部接続機器の音声を入力するためのものである。アンテナ用ポート１８Ｒ　は、外部アンテナや内部アンテナを接続するためのものである。
【００１４】
再生装置１０によれば、記録媒体Ｍに記録された広告情報を再生し、この広告情報の映像を映像出力用ポート１６から出力し、広告情報の音声を音声出力用ポート１７から出力することができる。
【００１５】
つぎに、サンバイザ部２０を説明する。
サンバイザ部２０は、タクシー４の前記サンバイザ取付部３に取り付けられるものであり、サンバイザ３０、表示部５０、一対のスピーカ６０，６０およびテレビチューナ７０を備えたものである。
なお、テレビチューナ７０は、任意事項であり、必ずしも設けなくてもよい。
【００１６】
まず、サンバイザ３０を説明する。
図３は裏側ケースを外したサンバイザ３０の裏面図である。図１および図３に示すように、サンバイザ３０は、表側ケース３１と図示しない裏側ケースから構成されたものであり、両者を重ね合わせることにより、自動車のサンバイザと同じ形状となる。表側ケース３１と裏側ケースのそれぞれの上部には、取付用バー３３が形成されている。この取付用バー３３を、前記サンバイザ取付部３に取り付けることによって、フロントガラスの上部手前にサンバイザ３０を配設することができる。
このサンバイザ３０は、自動車のサンバイザと形状が同じなので、サンバイザ取付部３への取り付けは簡単であり、日除け板としても使用することができる。
【００１７】
このサンバイザ３０の内部は中空になっており、その内部には、表示部５０、左右一対のスピーカ６０，６０、テレビチューナ７０、基板６１〜６３等が収納されている。
【００１８】
まず、表示部５０を説明する。
図３に示すように、表側ケース３１の中央部分には、例えば液晶モニタなどの表示部５０が取り付けられている。この表示部５０と前記再生装置１０との間を、後述する接続ケーブル４０で接続することにより、再生装置１０で再生された広告情報の映像を、表示部５０に表示することができる。
この液晶モニタは、モニタ画面の他に、電源ボタン、音声ボリュームボタン、メニューボタン、入力先切替ボタン５１など種々のボタン類を備えたものである。
電源ボタンは、液晶モニタに電力を供給するためのものである。
音声ボリュームボタンは、音声を調整するためのものである。
メニューボタンは、画面の明るさ、色調整および音量調整塔の調整のためのものである。
入力先切替ボタン５１は、表示部５０およびスピーカ６０への入力先を、前記再生装置１０、テレビチューナ７０または外部接続機器のいずれかに切り替えるためのものである。
【００１９】
この表示部５０は、液晶モニタなので薄くて軽いから、タクシー４の車内のどこにでも設置できる。しかも、液晶モニタは軽いので、フロントガラスの上部手前であっても簡単に設置できる。さらに、液晶モニタは薄いので、サンバイザ３０の内部に簡単に内蔵することができる。
なお、液晶モニタは、例えば厚さは８〜１６ｍｍ程度、重さは２５０　〜３５０　ｇ程度、大きさは横幅が１５０　〜１６０　ｍｍで縦幅が１１０　〜１２０　ｍｍ程度が好適であるが、サンバイザ３０の内部に取り付けることができるものであれば、その大きさや厚さは任意である。
さらなお、表示部５０は、液晶モニタ以外に、薄型テレビを使用することができる。
【００２０】
つぎに、スピーカ６０を説明する。
前記表側ケース３１において、前記表示部５０の左右両側には、左右一対のスピーカ６０、６０が取り付けられている。これら各スピーカ６０と前記再生装置１０との間を、後述する接続ケーブル４０で接続することにより、前記再生装置１０で再生された広告情報の音声を、スピーカ６０から発生させることができる。　なお、スピーカ６０は、例えば直径が４０〜４５ｍｍで厚さ５〜８ｍｍ程度が好適であるが、サンバイザ３０の内部に取り付けることができるものであれば、その大きさや厚さは任意である。
【００２１】
つぎに、テレビチューナ７０を説明する。
前記表側ケース３１における端部には、テレビチューナ７０が内蔵されている。
このテレビチューナ７０と図示しないアンテナとの間を、後述する接続ケーブル４０で接続することにより、アンテナで受信したテレビ電波をチューニングすることができる。
なお、テレビチューナ７０は、例えば大きさは横幅が５０〜５５ｍｍで縦幅が１５〜２０ｍｍ、厚さ１５〜２０ｍｍが好適であるが、サンバイザ３０の内部に取り付けることができるものであれば、その大きさや厚さは任意である。
【００２２】
前記表側ケース３１において、前記表示部５０の左側、右側および下側には、映像用基板６１、音声用基板６２および入力制御用基板６３がそれぞれ取り付けられている。
映像用基板６１は、入力された映像信号を、表示部５０に表示させるための基板である。
音声用基板６２は、入力された音声信号を、スピーカ６０から発生させるための基板である。
【００２３】
入力制御用基板６３は、前記表示部５０の入力切替ボタン１５などのボタン類の入力信号を受け取って、表示部５０やスピーカ６０などの機器を制御するための基板である。この入力制御用基板６３には、切替器６５が内蔵されている。
この切替器６５は、前記表示部５０の入力切替ボタン１５の切替え信号によって、前記表示部５０およびスピーカ６０の入力先を、前記再生装置１０とテレビチューナ７０のいずれかに切り替えるものである。
【００２４】
この切替器６５によって表示部５０およびスピーカ６０への入力先を切り替えることにより、再生装置１０による広告情報だけでなく、テレビチューナ７０によるテレビ放送をすることもできる。よって、広告情報とテレビ放送のいずれにも切り替えることができるので、乗客の要望に応じることができる。
【００２５】
前記表側ケース３１において、前記映像用基板６１から内部ケーブル６４が延びている。この内部ケーブル６４は、電源用ケーブル、再生映像用ケーブル、再生音声用ケーブルおよびテレビ電波用ケーブルが、１本にまとめられたものである。
この入力ケーブル６４は、表側ケース３１の上部に取り付けられた円筒のガイド６５の中を通されている。このガイド６５の上端は、サンバイザ３０の外部に突出しており、前記入力ケーブル６４の他端には、例えばＰＳ／２用端子等の接続端子６６が取り付けられている。
【００２６】
つぎに、接続用ケーブル４０を説明する。
接続用ケーブル４０は、電源用ケーブル４１、再生映像用ケーブル４２、再生音声用ケーブル４３およびテレビ電波用ケーブル４４が１本に束ねられ、その周囲をチューブ４５で被覆され、チューブ４５の先端に接続用端子４６が形成されたものである。この接続用端子４６は、前記接続端子６６に接続可能な端子である。
【００２７】
電源用ケーブル４１、再生映像用ケーブル４２、再生音声用ケーブル４３およびテレビ電波用ケーブル４４は、いずれも常用の電源用コード、再生映像用コード、再生音声用コードおよびテレビ電波用コードを使用すればよく、とくに限定はない。
【００２８】
電源用ケーブル４１は、一端をＡＣアダプタ電源等の電源に接続することによって、表示部５０およびスピーカ６０に電力を供給することができる。
再生映像用ケーブル４２は、一端を再生装置１０の映像出力用ポート１６に接続することによって、再生装置１０で再生された広告情報の映像信号を、表示部５０に送信することができる。
再生音声用ケーブル４３は、一端を再生装置１０の音声出力用ポート１７に接続することよって、再生装置１０で再生された広告情報の音声信号を、スピーカ６０に送信することができる。
テレビ電波用ケーブル４４は、一端を図示しないアンテナに接続することによって、アンテナで受信したテレビ電波を、テレビチューナ７０に送信することができる。
【００２９】
電源ケーブル４１、再生映像用ケーブル４２、再生音声用ケーブル４３およびテレビ電波用ケーブル４４が、１本の接続用ケーブル４０として束ねられたものなので、ケーブル同士が絡まったり断線したりする恐れがなく、各ケーブルを後述する再生装置１０や表示部５０、スピーカ６０に接続する接続作業が簡単である。
なお、広告情報やテレビ電波を送信する送信手段は、前記接続用ケーブル４０だけでなく、無線や光ファイバケーブルであってもよい。
【００３０】
したがって、タクシー用の広告装置１によれば、再生装置１０で記録媒体Ｍの広告情報を再生し、この広告情報の映像を表示部５０に表示するとともに、広告情報の音声をスピーカ６０で発生させることができるので、タクシーの乗客に広告することができる。
しかも、フロントガラスの上部手前から、再生装置１０で再生された広告情報の映像を表示し音声を発生させることができる。このため、タクシー４の後部座席６に乗っている乗客だけでなく、フロント席５に乗っている乗客にも広告を行うことができる。
【００３１】
つぎに、連動部８０を説明する。
図４は連動部８０の制御フローである。図１および図４に示すように、タクシーメータ２は、実車ボタンを押して課金状態にし、支払いボタンや空車ボタンを押して非課金状態にするボタン式のもの。なお、タクシーメータ２は、上記のタイプに限らずレバーを倒して課金状態にし、レバーを起こして非課金状態に戻すものであってもよく、種々のタイプのタクシーメータに適用することができる。
【００３２】
連動部８０は、以下のように制御ステップを進める処理部である。
ステップ１０１　において、タクシーメータ２が課金状態かどうかを判定する。タクシーメータ２が課金状態であると判定したときには、ステップ１０２　において、再生装置１０を再生動作させる。他方、タクシーメータ２が課金状態でないと判定したときには、ステップ１０３　において、再生装置１０を停止動作させる。
【００３３】
この連動部８０によって、タクシーメータ２の課金動作に応じて再生動作させることができるので、タクシーメータ２が課金状態のときには再生装置１０を再生動作させ、タクシーメータ２が非課金状態のときには再生装置１０を停止動作させることができる。
このため、タクシーに乗客が乗ったときに、タクシーメータ２を課金動作するだけで再生装置１０を再生動作させることができ、乗客がタクシーから降りるときに、タクシーメータ２を非課金動作するだけで再生装置１０を停止動作させることができる。したがって、再生装置１０を再生したり停止したりする操作の手間を省くことができる。
よって、再生装置１０の付け忘れを防止することにより、乗客中には広告情報を確実に再生できるととともに、再生装置１０の消し忘れを防止できるので節電することができる。
【００３４】
つぎに、再生回数均等処理部９０を説明する。
図１に示すように、前記再生装置１０には、再生回数均等処理部９０が内蔵されている。この再生回数均等処理部９０は、ＩＣチップ等のハードウェアに組み込まれたものである。
なお、再生回数均等処理部９０は、プログラム等のソフトウェアで実現されていてもよい。
【００３５】
図５（Ｂ）に示すように、記録媒体Ｍには、オープニング広告情報が記録されている。また、記録媒体Ｍには、１番目広告情報、２番目広告情報、…、ｎ−１番目広告情報、ｎ番目広告情報が格納されている。各広告情報は、広告序数を伴って格納されているので、何番目の広告情報であるかを識別できる。例えば広告情報の広告序数が３である場合には、３番目の広告情報であることを識別できる。なお、ｎは任意の数である。
図５（Ａ）は再生回数均等処理部９０のブロック図である。同図に示すように、再生回数均等処理部９０は、前記記録媒体Ｍに記録された複数の広告情報を、その広告序数順に再生する処理部である。
この再生回数均等処理部９０は、広告序数メモリ９１、リピート再生手段９２、停止時広告序数記録手段９３および再生広告序数決定手段９４を備えたものである。
【００３６】
広告序数メモリ９１は、広告情報の広告序数を格納するためのメモリである。リピート再生手段９２は、ｎ番目の広告情報を再生した後には、１番目の広告情報を再生するようにして、ｎ個の広告情報を循環して再生する処理部である。停止時広告序数記録手段９３は、再生装置１０が停止したときに、停止時に再生されていた広告情報の広告序数を広告序数メモリ９１に記録する処理部である。このため、この広告序数メモリ９１に例えば「３」が格納されていれば、再生装置１０の停止時に３番目の広告情報を再生していたことが分かる。
【００３７】
再生広告序数決定手段９４は、再生装置１０が再生するときに、何番目の広告から再生するかを決定する処理部である。前記広告序数メモリ９１に広告序数として例えば「３」が格納されている場合には、当該広告序数に１を加えた４に相当する広告序数の広告情報である４番目の広告情報から再生することを決定することができる。
なお、再生広告序数決定手段９４において、ｎ個の広告情報を平均に再生することができるのであれば、何番目の広告情報から再生するようにするかは、任意である。さらになお、必ずしも広告情報の最初から再生するだけでなく、広告情報の途中から再生してもよい。
【００３８】
図６は再生回数均等処理部９０のフローチャートである。同図に示すように、まずステップ２０１　において再生命令があるかどうかを監視する。再生命令があった場合には、ステップ２０２　に進む。ステップ２０２　において、例えばタクシー会社広告などのオープニング広告情報を再生する。
つぎに、ステップ２０３　において、前記再生広告序数決定手段９４によって、広告序数メモリに格納されている値、例えば「３」を読み出し、何番目の広告情報から再生するかを決定する。例えば、広告序数メモリ９１に格納されている値が３の場合には、３番目の広告情報から再生することを決定するようにすればよい。
そして、再生装置１０が停止するまで（ステップ２０４　）、広告情報を広告序数順に再生する（ステップ２０５　）。再生中にはリピート再生手段９２によって、複数の広告情報を循環して再生する。
再生装置１０を停止するときには（ステップ２０４　）、停止時広告序数記録手段９３によって、停止時に再生している広告情報の広告序数を広告序数メモリ９１に書き出して記録する（ステップ２０６　）。
【００３９】
再生回数均等処理部９０によれば、再生装置１０の停止時には、停止時広告序数記録手段９３によって、再生装置１０の停止時に再生している広告情報の広告序数を広告序数メモリ９１に書き出して記録することができる。再生装置１０の再生時には、再生広告序数決定手段９４によって広告序数メモリ９１から広告序数を読み出して再生すべき広告情報を決定することができる。
このため、再生装置１０の停止時に再生している広告情報の次の広告序数に相当する広告情報を再生することができる。そして、再生中にはリピート再生手段９２によって、複数の広告情報を循環して再生することができる。よって、広告情報を広告序数順に再生することができるので、各広告情報に対する再生時間のバラツキを防止することができる。
【００４０】
本実施形態のタクシー用の広告装置１は、以下の（１）〜（８）に示す作用効果を奏する。
（１）再生装置１０で記録媒体Ｍの広告情報を再生し、この広告情報の映像を表示部５０に表示するとともに、広告情報の音声をスピーカ６０で発生させることができるので、タクシー４の乗客に広告することができる。
【００４１】
（２）連動部８０によって、再生装置１０を再生したり停止したりする操作の手間を省くことができる。よって、再生装置１０の付け忘れを防止することにより、乗客中には広告情報を確実に再生できるととともに、再生装置１０の消し忘れを防止できるので節電することができる。
【００４２】
（３）再生回数均等処理部９０によって、記録媒体Ｍに記録された複数の広告情報を、その広告序数順に再生することができる。よって、広告情報を広告序数順に再生することができるので、各広告情報に対する再生時間のバラツキを防止することができる。
【００４３】
（４）再生装置１０の停止時には、停止時広告序数記録手段９３によって、再生装置１０の停止時に再生している広告情報の広告序数を広告序数メモリ９１に書き出して記録することができる。再生装置１０の再生時には、再生広告序数決定手段９４によって広告序数メモリ９１から広告序数を読み出して再生すべき広告情報を決定することができる。
このため、再生装置１０の停止時に再生している広告情報の次の広告序数に相当する広告情報を再生することができる。そして、再生中にはリピート再生手段９２によって、複数の広告情報を循環して再生することができる。よって、広告情報を広告序数順に再生することができるので、各広告情報に対する再生時間のバラツキを防止することができる。
【００４４】
（５）フロントガラスの上部手前から、再生装置１０で再生された広告情報の映像を表示し音声を発生させることができる。このため、タクシー４の後部座席６に乗っている乗客だけでなく、フロント席５に乗っている乗客にも広告を行うことができる。
【００４５】
（６）切替器６５によって、広告情報とテレビ放送のいずれにも切り替えることができるので、乗客の要望に応じることができる。
【００４６】
（７）電源ケーブル４１、再生映像用ケーブル４２、再生音声用ケーブル４３およびテレビ電波用ケーブル４４が、１本の接続用ケーブル４０として束ねられたものなので、ケーブル同士が絡まったり断線したりする恐れがなく、各ケーブルを再生装置１０や表示部５０、スピーカ６０に接続する接続作業が簡単である。
【００４７】
（８）表示部５０が液晶モニタなので薄くて軽いから、タクシー４の車内のどこにでも設置できる。しかも、液晶モニタは軽いので、フロントガラスの上部手前であっても簡単に設置できる。さらに、液晶モニタは薄いので、サンバイザ３０の内部に簡単に内蔵することができる。
【００４８】
つぎに、他の実施形態を説明する。
前記タクシー用の広告装置１において、前記サンバイザ３０は必ずしも設けなくてもよく、表示部５０およびスピーカ６０は、別々に配置されていてもよい。この場合、表示部５０およびスピーカ６０を、タクシー４の車内における所望の場所に設置することができる。
【００４９】
前記タクシー用の広告装置１において、前記テレビチューナ７０、テレビ電波用ケーブル４４および切替器６５は、任意事項であり必ずしも設けなくてもよい。この場合、テレビ放送を放送できないが、サンバイザ部２０を軽くすることができる。
【００５０】
前記タクシー用の広告装置１において、前記接続ケーブル４０は、電源ケーブル４１、再生音声用ケーブル４２、再生映像用ケーブル４３およびテレビ電波用ケーブル４４が１本に束ねられたものでなくてもよい。この場合、製造に手間がかからない。
【００５１】
前記タクシー用の広告装置１において、前記連動部８０および再生回数均等処理部９０は両者を備えていなくてもよく、いずれか一方を備えていればよい。連動部８０または再生回数均等処理部８０を備えることにより、各部８０，９０に対応する効果を享受することができる。
【００５２】
【考案の効果】
請求項１の考案によれば、再生装置で記録媒体の広告情報を再生し、この広告情報の映像を表示部に表示するとともに、広告情報の音声をスピーカで発生させることができるので、タクシーの乗客に広告することができる。
しかも、連動部によって、タクシーメータの課金動作に応じて再生動作させることができるので、タクシーメータが課金状態のときには再生装置を再生動作させ、タクシーメータが非課金状態のときには再生装置を停止動作させる。このため、タクシーに乗客が乗ったときに、タクシーメータを課金動作するだけで再生装置を再生動作させることができ、乗客がタクシーから降りるときに、タクシーメータを非課金動作するだけで再生装置を停止動作させることができる。このため、再生装置を再生したり停止したりする操作の手間を省くことができる。よって、再生装置の付け忘れを防止することにより、乗客中には広告情報を確実に再生できるととともに、再生装置の消し忘れを防止できるので節電することができる。
請求項２の考案によれば、再生装置で記録媒体の広告情報を再生し、この広告情報の映像を表示部に表示するとともに、広告情報の音声をスピーカで発生させることができるので、タクシーの乗客に広告することができる。
しかも、再生回数均等処理部によって、記録媒体Ｍに記録された複数の広告情報を、その広告序数順に再生することができる。よって、広告情報を広告序数順に再生することができるので、各広告情報に対する再生時間のバラツキを防止することができる。
請求項３の考案によれば、再生装置の停止時には、停止時広告序数記録手段によって、再生装置の停止時に再生している広告情報の広告序数を広告序数メモリに書き出して記録することができる。再生装置の再生時には、再生広告序数決定手段によって広告序数メモリから広告序数を読み出して再生すべき広告情報を決定することができる。このため、再生装置の停止時に再生している広告情報の次の広告序数に相当する広告情報を再生することができる。そして、再生中にはリピート再生手段によって、複数の広告情報を循環して再生することができる。よって、広告情報を広告序数順に再生することができるので、各広告情報に対する再生時間のバラツキを防止することができる。
請求項４の考案によれば、表示部およびスピーカはサンバイザ部に取り付けられており、このサンバイザ部はフロントガラスの上部手前に配設されているので、フロントガラスの上部手前から、再生装置で再生された広告情報の映像を表示し音声を発生させることができる。このため、タクシーの後部座席に乗っている乗客だけでなく、フロント席に乗っている乗客にも広告を行うことができる。
請求項５の考案によれば、切替器によって表示部およびスピーカへの入力先を切り替えることにより、再生装置による広告情報だけでなく、テレビチューナによるテレビ放送をすることもできる。よって、広告情報とテレビ放送のいずれにも切り替えることができるので、乗客の要望に応じることができる。
請求項６の考案によれば、電源ケーブル、再生映像用ケーブル、再生音声用ケーブルおよびテレビ電波用ケーブルが、１本の接続用ケーブルとして束ねられたものなので、ケーブル同士が絡まったり断線したりする恐れがなく、各ケーブルを再生装置や表示部、スピーカに接続する接続作業が簡単である。
請求項７の考案によれば、表示部が液晶モニタなので薄くて軽いから、タクシーの車内のどこにでも設置できる。しかも、液晶モニタは軽いので、フロントガラスの上部手前であっても簡単に設置できる。さらに、液晶モニタは薄いので、サンバイザの内部に簡単に内蔵することができる。
【図面の簡単な説明】
【図１】本実施形態のタクシー用の広告装置１における全体構成図である。
【図２】再生装置１０の概略斜視図である。
【図３】裏側ケースを外したサンバイザ３０の裏面図である。
【図４】連動部８０の制御フローである。
【図５】（Ａ）図は再生回数均等処理部９０のブロック図、（Ｂ）は記録媒体Ｍのブロック図である。
【図６】再生回数均等処理部９０のフローチャートである。
【図７】タクシー用の広告装置１が取り付けられたタクシー４における、（Ａ）は背面断面図、（Ｂ）は側面断面図である。
【符号の説明】
１　タクシー用の広告装置
２　タクシーメータ
４　タクシー
１０　再生装置
２０　サンバイザ部
３０　サンバイザ
４０　接続用ケーブル
４１　電源用ケーブル
４２　再生映像用ケーブル
４３　再生音声用ケーブル
４４　テレビ電波用ケーブル
５０　表示部
６０　スピーカ
７０　チューナ
８０　連動部
９０　再生回数均等処理部
９１　広告序数メモリ
９２　リピート再生手段
９３　停止時広告序数記録手段
９４　再生広告序数決定手段
【図１】
0003098636.tif 000003
【図２】
0003098636.tif 000004
【図３】
0003098636.tif 000005
【図４】
0003098636.tif 000006
【図５】
0003098636.tif 000007
【図６】
0003098636.tif 000008
【図７】
0003098636.tif 000009